(57)【要約】【課題】羽根の取付けが容易で、強固に取付けできるルーバーとする。【解決手段】ケース１１に一対のピン５を出入り自在で、かつ弾性部材１２で突出保持して設け、このケース１１を羽根２の取付用穴１０に圧力して取付用穴１０の内面１０ａとケース１１外面の突起１５が圧接して取付ける。取付用枠材１に凹部２１を有するピン受けブッシュ２０を取付け、この凹部２１にピン５を嵌合して羽根２を取付用枠材１に取付けたルーバー。【選択図】      図４
2004183380.tif 000002
【特許請求の範囲】
【請求項１】
隣接した取付用枠材間に亘って複数の羽根を取付けたルーバーであって、
前記羽根は長手方向端面に開口した取付用穴を有し、
外面に突起を有するケース内に、一対のピンを出入り自在で、かつ弾性部材で突出保持して設け、
このケースを羽根の取付用穴に圧入して、その突起と取付用穴の内面が圧接して取付け、
前記取付用枠材に、前記ピンが嵌合する一対の凹部を有するピン受けブッシュを取付け、この各凹部に各ピンが嵌合して羽根を取付けたことを特徴とするルーバー。
【請求項２】
ケースは、ピン突出側と反対側部分に突起が存在しない形状で、その突起は断面山形状である請求項１記載のルーバー。
【発明の詳細な説明】
【０００１】
【発明の属する技術分野】
本発明は、日除け、目隠し等として用いるルーバーに関する。
【０００２】
【従来の技術】
特許文献１に、枠体に複数の羽根を取付けたルーバーが開示されている。
特許文献２に、羽根を枠体に保持する機構が開示されている。
具体的には、保持ピンをスプリングで突出付勢して内蔵した羽根保持部品を羽根の穴に差し込み、この保持ピンを枠体の穴に挿入して羽根を枠体に保持する。
【０００３】
【特許文献１】
特公昭５６−３６２７０号公報
【特許文献２】
実開平４−５５９８８号公報
【０００４】
【発明が解決しようとする課題】
前述の特許文献２に開示された羽根保持機構によれば、保持ピンをスプリングに抗して押し込むことで羽根を枠体内に入れて穴と合致させることで、保持ピンがスプリングで穴内に挿入するので、羽根の取付けが容易である。
しかしながら、羽根保持部品を羽根の穴に差し込んで取付けているので、その羽根保持部品の取付け強度が弱く、羽根の枠体への取付け強度が弱い。
【０００５】
本発明は、前述の課題に鑑みなされたもので、その目的は、羽根を容易に取付けできると共に、その羽根の取付強度が強く、しかも羽根の取付け姿勢を変更することが可能であるルーバーを提供することである。
【０００６】
【課題を解決するための手段】
第１の発明は、隣接した取付用枠材間に亘って複数の羽根を取付けたルーバーであって、
前記羽根は長手方向端面に開口した取付用穴を有し、
外面に突起を有するケース内に、一対のピンを出入り自在で、かつ弾性部材で突出保持して設け、
このケースを羽根の取付用穴に圧入して、その突起と取付用穴の内面が圧接して取付け、
前記取付用枠材に、前記ピンが嵌合する一対の凹部を有するピン受けブッシュを取付け、この各凹部に各ピンが嵌合して羽根を取付けたことを特徴とするルーバーである。
【０００７】
第２の発明は、第１の発明においてケースは、ピン突出側と反対側部分に突起が存在しない形状で、その突起は断面山形状であるルーバーである。
【０００８】
【作  用】
第１の発明によれば、一対のピンを弾性部材に抗して押し込んだ状態で羽根を隣接した取付用枠材間に設けることで、そのピンがピン受けブッシュの凹部に嵌合して羽根を取付用枠材に取付けできる。
よって、羽根を容易に取付けできる。
また、ピンを備えたケースは羽根の取付用孔に圧入して取付けられ、その取付用穴の内面と突起が圧接しているので、羽根にケースが強固に取付けられ、羽根の取付用枠材への取付強度が強い。
しかも、突起と取付用穴の内面が圧接するので、ケースを小さな力で圧入することができ、ケースの取付けが容易である。
また、ピン及びピン受けブッシュの凹部が一対であるから、その一対の凹部を取付用枠材の長手方向の位置を同一としたり、異ならせることで、羽根の取付け姿勢を変更できる。
また、取付用枠材とピンが金属の場合にピン受けブッシュを樹脂とすることで、金属接触がなくなり、羽根の揺動による音鳴りを防止できる。
【０００９】
第２の発明によれば、ケースのピン突出側と反対側部分を羽根の取付用穴に挿入し、この後にケースを圧入することで突起が取付用穴の内面に食い込むように圧接したり、突起が押しつぶされて圧接するので、ケースの取付けが容易であると共に、ケースの取付強度がより強固である。
【００１０】
【発明の実施の形態】
図１と図２に示すように、隣接した取付用枠材１間に複数の羽根２を取付けてルーバーとしてある。
この実施の形態では、取付用枠材１は縦向きで羽根２は横向きに取付けてあるが、取付用枠材１を横向きで羽根２を縦向きに取付けても良い。
図１と図２に示すように、複数の取付用枠材１の上端部間に亘って連結材３が連結され、この連結材３と各羽根２の長手方向中間部が吊りボルト４でそれぞれ連結されている。これによって、長尺な羽根２がたれ下がることがないように水平に保持できる。
これに限ることはなく、羽根２を隣接した取付用枠材１間に取付けたルーバーであれば良い。
【００１１】
図３に示すように、羽根２は一対のピン５で取付用枠材１に取付けてある。
図３に示す取付用枠材１は、断面Ｔ字形状の長尺材で、その羽根取付部１ａの肉厚が薄いので、中間部の取付用枠材１の羽根取付部１ａに一対の補助プレート６を取付けて左右のピン５を保持できるようにしてある。
【００１２】
次に、羽根の取付けを図４〜図６に基づいて説明する。
前記羽根２は取付用穴１０を有し、この取付用穴１０は羽根２の長手方向端面２ａに開口している。例えば、羽根１は所定の幅と厚さを有する長尺材で、矩形状で長手方向に連続した取付用穴１０が幅方向に複数有する。
この羽根２としては木粉と樹脂を混合した合成木、アルミ、樹脂の押出し形材が用いられるが、他のものでも良いことは勿論である。
【００１３】
前記一対のピン５はケース１１に出入り自在で、かつ弾性部材１２で突出保持してそれぞれ設けてある。弾性部材１２としてはスプリング、ゴム、密閉されたエアーなどである。
例えば、ケース１１に一対の孔１３が両端面に開口してそれぞれ形成され、この各孔１３は小径孔１３ａと大径孔１３ｂで段差部１３ｃを有する段付き孔である。
前記ピン５は小径部５ａと大径部５ｂで段差部５ｃを有する段付き形状で、このピン５の小径部５ａ、大径部５ｂはケース１１の孔１３の小径孔１３ａ、大径孔１３ｂと同一径である。
前記ピン５をケース１１の孔１３内に大径孔１３ｂ側から挿入すると共に、孔１３の大径孔１３ｂに弾性部材１２を挿入し、この弾性部材１２を抜け止めピン１４で抜け止めし、その弾性部材１２でピン５を突出方向に押して段差部５ｃを段差部１３ｃに当接してピン５を突出保持する。
【００１４】
前記ケース１１は、前記羽根２の取付用穴１０に挿入されると共に、その外面に突起１５を有し、この突起１５と羽根２の取付用穴１０の内面１０ａが相互に圧接して強固に取付けられる。つまり、ケース１１は突起１５を介在して取付用孔１０内に圧入される。
前記ケース１１の外面におけるピン突出側と反対側部分１１ａは突起１５が存在せずに取付用穴１０にスムーズに挿入される。
よって、ケース１１のピン突出側と反対側部分１１ａを羽根２の取付用穴１０内に挿入し、その状態で強い力でケース１１を取付用穴１０内に押し込む（例えば、ケース１１をハンマー等で打撃して押し込む）ことで突起１５と取付用穴１０の内面１０ａが相互に圧接するので、ケース１１の取付けが容易である。
また、突起１５を断面山形状として取付用穴１０の内面１０ａに食い込むように圧接したり、突起１５が押しつぶされて圧接するようにしても良い。つまり、羽根２がケース１１よりも軟らかい場合には羽根２が突起１５で削られて食い込むように圧接し、羽根２がケース１１よりも硬い場合には突起１５が押しつぶされて圧接する。
【００１５】
前記取付用枠材１はピン受けブッシュ２０を備え、このピン受けブッシュ２０の凹部２１にピン５が嵌まり込む。
例えば、ピン受けブッシュ２０はフランジ２２と一対の突起部２３を有し、このフランジ２２の表面から突起部２３に亘って凹部２１を有し、取付用枠材１に一対の孔２４を形成し、この各孔２４に突起部２３を挿入してフランジ２２を孔２４の開口縁部に接する。
このようであるから、ピン５はピン受けブッシュ２０の凹部２１の底面に当接して位置決めされ、取付用枠材１と羽根２との間に隙間を形成することができる。
また、取付用枠材１、ピン５が金属製の場合に、ピン受けブッシュ２０を樹脂製とすることで、金属接触がなくなり、羽根２の揺動による音鳴りを防止できる。
【００１６】
前記一対の孔２４は図６に示すように同一高さ位置（つまり、取付用枠材１の長手方向に対して同一位置）に形成されているので、ピン受けブッシュ２０の一対の凹部２１が同一高さで、羽根２を図２に実線で示すように水平の姿勢として取付けできる。
また、一方の孔２４を図６に仮想線で示すように他方の孔２４よりも下方位置として一対の孔２４の高さをずらすことで、ピン受けブッシュ２０の一対の凹部２１の高さがずれるから羽根２を図２の仮想線で示すように斜めの姿勢で取付けできる。
なお、ピン受けブッシュ２０は一対の凹部２１を有する形状に限ることはなく、一つの凹部２１を有する形状とし、一対のピン受けブッシュ２０を用いるようにしても良い。
【００１７】
【発明の効果】
請求項１に係る発明によれば、一対のピンを弾性部材に抗して押し込んだ状態で羽根を隣接した取付用枠材間に設けることで、そのピンがピン受けブッシュの凹部に嵌合して羽根を取付用枠材に取付けできる。
よって、羽根を容易に取付けできる。
また、ピンを備えたケースは羽根の取付用孔に圧入して取付けられ、その取付用穴の内面と突起が圧接しているので、羽根にケースが強固に取付けられ、羽根の取付用枠材への取付強度が強い。
しかも、突起と取付用穴の内面が圧接するので、ケースを小さな力で圧入することができ、ケースの取付けが容易である。
また、ピン及びピン受けブッシュの凹部が一対であるから、その一対の凹部を取付用枠材の長手方向の位置を同一としたり、異ならせることで、羽根の取付け姿勢を変更できる。
また、取付用枠材とピンが金属の場合にピン受けブッシュを樹脂とすることで、金属接触がなくなり、羽根の揺動による音鳴りを防止できる。
【００１８】
請求項２に係る発明によれば、ケースのピン突出側と反対側部分を羽根の取付用穴に挿入し、この後にケースを圧入することで突起が取付用穴の内面に食い込むように圧接したり、突起が押しつぶされて圧接するので、ケースの取付けが容易であると共に、ケースの取付強度がより強固である。
【図面の簡単な説明】
【図１】本発明の実施の形態を示すルーバーの正面図である。
【図２】図１のＡ−Ａ断面図である。
【図３】羽根取付部の拡大平面図である。
【図４】羽根取付部の拡大縦断面図である。
【図５】図４のＢ−Ｂ断面図である。
【図６】取付用枠材と羽根とケースとピン受けブッシュの分解斜視図である。
【符号の説明】
１…取付用枠材、２…羽根、５…ピン、１０…取付用穴、１０ａ…内面、１１…ケース、１２…弾性部材、１３…孔、１４…抜け止めピン、１５…突起、２０…ピン受けブッシュ、２１…凹部。
【図１】
2004183380.tif 000003
【図２】
2004183380.tif 000004
【図３】
2004183380.tif 000005
【図４】
2004183380.tif 000006
【図５】
2004183380.tif 000007
【図６】
2004183380.tif 000008